(57)【要約】  【課題】注水口から注水される水に混入した異物は仕切りより注水側の注水フィルタにより瀘過され、給水口に入るタンク内の水に混入したスケール等は仕切りより下側の筒形フィルタにより瀘過され、また鉄粉等の微細なゴミは筒状の磁石に付着され、これらのゴミを筒本体を注水口からの抜き出し、清掃することにより、簡単に取り除くことができるフィルタ装置及び給水タンク及び給水タンクを用いた温水暖房機を提供する。  【解決手段】注水口９と、循環水を循環手段により機器へ給水する給水口１０と、機器からの循環水を戻すための戻り口１１とを有し、注水口９と戻り口１１との間にフィルタを備えたフィルタ装置であって、フィルタが磁石１５と、仕切り１４を備えたフィルタ部１３とからなる構成とする。  【選択図】図２
2006007050.tif 000002
【特許請求の範囲】
【請求項１】
注水口と、循環水を循環手段により機器へ給水する給水口と、前記機器からの循環水を戻すための戻り口とを有し、前記注水口と前記戻り口との間にフィルタを設けてなるフィルタ装置であって、
前記フィルタが磁石と、仕切りを備えたフィルタ部とから構成されてなることを特徴とするフィルタ装置。
【請求項２】
注水口と、循環水を循環手段により機器へ給水する給水口と、前記機器からの循環水を戻すための戻り口とを有し、前記注水口と前記戻り口との間にフィルタを備えた給水タンクであって、
前記フィルタが磁石と、仕切りを備えたフィルタ部とから構成されてなることを特徴とする給水タンク。
【請求項３】
注水口と、循環水を循環手段により機器へ給水する給水口と、前記機器からの循環水を戻すための戻り口とを有し、前記注水口と前記戻り口との間にフィルタを備えた給水タンクを用いた温水暖房機であって、
前記フィルタが磁石と、仕切りを備えたフィルタ部とから構成されてなることを特徴とする給水タンクを用いた温水暖房機。
【請求項４】
前記仕切りを前記フィルタ部の前記注水口側に設けてなることを特徴とする請求項２または３記載の給水タンクおよび給水タンクを用いた温水暖房機。
【請求項５】
前記磁石の内外周面を粗面に形成してなることを特徴とする請求項１、２または３記載のフィルタ装置および給水タンクおよび給水タンクを用いた温水暖房機。
【発明の詳細な説明】
【技術分野】
【０００１】
本発明は、暖房用の温水ボイラ等に組込まれる給水タンクに係わり、より詳しくは、温水循環経路中の鉄粉等の微細なゴミを除去するための給水タンク内に設けられたフィルタ装置の構造に関する。
【背景技術】
【０００２】
温水ボイラの循環水を貯めるシスターンタンクと称される給水タンクには、従来、例えば図３に示すように、給水タンク２５は、上面に循環水を注水（破線矢印）するための注水口２９と、給水タンク２５の下部の側壁に循環水をポンプ２６により熱交換器へ給水する給水口２０と、給水タンク２５の底面に循環水を戻す戻り口２１が形成され、給水タンク２５内の循環水は図３の実線矢印の方向に循環する。
そして、注水口２９に、注水時に外部から給水タンク２５内にゴミ等の侵入を防ぐために簡易的な注水フィルタ３３ａが設けられている。
【０００３】
また、給水タンクと機器との循環経路内に生じたゴミ等を除去するため、図４に示すような循環経路にフィルタを設置したものが知られている（例えば、特許文献１参照。）。
図４において、注水口２’とは別に機器への給水口６’を有する給水タンクに対して、その注水口２’と給水口６’とを直線上に配設し、注水口２’と給水口６’とに跨って両端の開放した筒状の本体の中間に仕切りフィルタ１２’を設けた筒形フィルタ１０’を注水口２’から抜き差し可能に装着する手段が採用されている。
【０００４】
注水口２’から筒形フィルタ１０’をその先端が給水口６’に達するように差し込み装着すると、注水口２’から注水される水と循環する内部の水の双方の瀘過が筒形フィルタ１０’により行なわれる。即ち、注水口２’から注水される水は仕切りフィルタ１２’より注水側の筒形フィルタ１０’により瀘過され、給水口６’から出ていく内部の水は仕切りフィルタ１２’より給水口６’側の筒形フィルタ１０’により瀘過されることになる。
【０００５】
しかしながら、上記構成の場合、フィルタはメッシュの大きさにより除去できるゴミの大きさは決まってしまう。循環経路に鉄管を用いたものや、長時間の機器の使用により、機器の循環経路に鉄粉等の微細なゴミが発生しても取り除くことができない。そのため、これらの鉄粉等の微細なゴミの循環が熱交換器のトラブルやポンプ等の不具合の原因となることがある。
【０００６】
【特許文献１】特開平８−２８５２９５号公報
【発明の開示】
【発明が解決しようとする課題】
【０００７】
本発明は上記の問題点に鑑み、注水口から注水される水に混入した異物は仕切りより注水側の注水フィルタにより瀘過され、給水口に入るタンク内の水に混入したスケール等は仕切りより下側の筒形フィルタ（フィルタ部）により瀘過され、また鉄粉等の微細なゴミは筒状の磁石に付着され、これらのゴミを筒本体を注水口からの抜き出し、清掃することにより、簡単に取り除くことができるフィルタ装置および給水タンクおよび給水タンクを用いた温水暖房機を提供することを目的とする。
【課題を解決するための手段】
【０００８】
本発明は上述の課題を解決するため、注水口と、循環水を循環手段により機器へ給水する給水口と、前記機器からの循環水を戻すための戻り口とを有し、前記注水口と前記戻り口との間にフィルタを設けてなるフィルタ装置であって、
前記フィルタが磁石と、仕切りを備えたフィルタ部とから構成されている。
【０００９】
また、注水口と、循環水を循環手段により機器へ給水する給水口と、前記機器からの循環水を戻すための戻り口とを有し、前記注水口と前記戻り口との間にフィルタを備えた給水タンクであって、
前記フィルタが磁石と、仕切りを備えたフィルタ部とから構成されている。
【００１０】
また、注水口と、循環水を循環手段により機器へ給水する給水口と、前記機器からの循環水を戻すための戻り口とを有し、前記注水口と前記戻り口との間にフィルタを備えた給水タンクを用いた温水暖房機であって、
前記フィルタが磁石と、仕切りを備えたフィルタ部とから構成されている。
【００１１】
また、前記仕切りを前記フィルタ部の前記注水口側に設けてなる構成となっている。
【００１２】
また、前記磁石の内外周面を粗面に形成してなる構成となっている。
【発明の効果】
【００１３】
本発明によれば、注水口から注水される水に混入した異物は仕切りより注水口側の注水フィルタにより瀘過され、給水口に入るタンク内の水に混入したスケール等は仕切りより下側の筒形フィルタ（フィルタ部）により瀘過され、また鉄粉等の微細なゴミは筒状の磁石に付着され、これらのゴミを筒本体を注水口からの抜き出し、清掃することにより、簡単に取り除くことができ、単一のフィルタで注水口から注水される水と循環する内部の水の双方の瀘過機能を持つ構成の簡素なフィルタ装置および給水タンクおよび給水タンクを用いた温水暖房機となる。
【発明を実施するための最良の形態】
【００１４】
以下、本発明の実施の形態を、添付図面に基づいた実施例として詳細に説明する。
図１は本発明における温水ボイラの概略構成図、図２は本発明におけるフィルタを有する給水タンクの要部縦断面図である。
【実施例１】
【００１５】
本発明の実施例における給水タンクは、暖房用温水ボイラの循環水を貯めるシスターンタンクを例に説明する。
図１において、１は温水ボイラ本体である。２は同本体１内に設けられたボイラ部で、同ボイラ部２は熱交換器３およびボイラ４からなる構成となっている。５は前記ボイラ部２で熱交換された温水（循環水）を一時保管するためのシスターンタンク（給水タンク）である。６はポンプで、同ポンプ６により、前記ボイラ部２で熱交換され前記シスターンタンク（給水タンク）５で一時保管された温水を、ファンコンベクタ８に向けて循環させるようにした構成となっている。７は前記ボイラ部２と、前記シスターンタンク（給水タンク）５と、前記ポンプ６とを順次接続して本体１内に配設された温水循環路で、同温水循環路７は前記ファンコンベクタ８に接続された戻り温水路ｂおよび往き温水路ａを備えている。
【００１６】
図２において、前記給水タンク５は、上面にその一部に口縁５ａを上方へ立ち上げた注水口９が形成され、前記口縁５ａの側面に排水口５ｂが形成され、この排水口５ｂに排水ホースｈ１が接続されている。
前記給水タンク５の下部の側壁には、循環水を前記ポンプ６により前記熱交換器３へ給水する給水口１０が形成され、この給水口１０は外部に突出する接続筒部１０ａにより，前記ポンプ６にホースｈ２で接続されている。
また、前記給水タンク５の下部にはその底に前記注水口９の中心線とその中心線とが一致する戻り口１１が形成されている。この戻り口１１も外部に突出する接続筒部１１ａにより，前記温水循環路７（図示せず）に配管接続され、給水タンク５内の循環水は図２の実線矢印の方向に循環する。
【００１７】
前記注水口９と前記戻り口１１間に相当する長さの両端を開放した筒状の筒本体１２の下部外周に、内外周面が粗面に形成された筒状の磁石１５を設けるとともに、同磁石１５上部の筒本体１２の外周にメッシュ状の筒形フィルタ（フィルタ部）１３を設ける。前記筒形フィルタ（フィルタ部）１３は、その内部を垂直方向の前記注水口９側において仕切るメッシュ状もしくは平板状の仕切り１４を設けた構成となっている。
そして、前記筒形フィルタ（フィルタ部）１３を備えた前記筒本体１２は、前記注水口９からの抜き差しを可能に装着されている。
【００１８】
また、前記注水口９から前記給水タンク５内へ差し入れた前記筒本体１２は、その先端が戻り口１１の回りに形成されたリング状の係合凹部１６に突入して止まるようになっている。この状態で前記筒本体１２の上端は注水口９へのキャップ（図示せず）の装着の妨げにならない位置に嵌り込んでいる。従って、筒形フィルタ（フィルタ部）１３を備えた前記筒本体１２の装着状態は前記給水タンク５内において両端を支持され安定している。
【００１９】
上記構成において、前記給水タンク５内の水位Ｓの確認は、例えば、前記筒本体１２を前記注水口９から抜き出し、前記筒形フィルタ（フィルタ部）１３の濡れている位置により、予め設定された上限水位と下限水位の範囲以内にあるか否かにより判断し、少なければ所定量の注水を行なえばよい。
【００２０】
前記注水口９から注水された水（図２の破線矢印）は前記筒形フィルタ（フィルタ部）１３の前記仕切り１４の上側の注水フィルタ１３ａにおいて瀘過され、前記給水タンク５内への異物の混入は防止される。また図１において、給水タンク５内の循環水はボイラ４の運転により給水口１０からポンプ６、熱交換器３、温水循環路７、ファンコンベクタ８に接続された往き温水路ａ、戻り温水路ｂを経て戻り口１１へ戻り循環する。
前記給水口６へ向う水の中のゴミのうち、スケール（沈着物）等は筒形フィルタ（フィルタ部）１３の仕切り１４の下側において瀘過され、また鉄粉等の微細なゴミは筒状の磁石１５の粗面からなる内外周面に付着され、熱交換器３やポンプ６への侵入は回避される。
尚、前記仕切り１４の上側の注水フィルタ１３ａのメッシュと、下側の筒形フィルタ（フィルタ部）１３のメッシュは同じ大きさでなくてもよい。
【００２１】
また、給水タンク５の循環水が膨張などによりオーバフローを起こした場合には、注水口９の側壁に設けられた排水口５ｂから排水ホースｈ１により所定の方向に排水される。また、給水口１０と戻り口１１は給水タンク５の下部側に設けられているので、水位が低下したことに気付かず注水が遅れたような場合でも、下部側における水位は保持されるので、運転の障害には直結しないで済む。
【００２２】
以上説明したように、前記注水口９と前記戻り口１１間に相当する長さの両端を開放した筒状の筒本体１２の外周面に、メッシュ状の筒形フィルタ（フィルタ部）１３を設け、前記筒本体１２の内部を、垂直方向の前記注水口９側において仕切るメッシュ状もしくは平板状の仕切り１４を設け、前記筒形フィルタ（フィルタ部）１３の下部に、筒状の磁石１５を設けてなる構成とし、前記筒形フィルタ（フィルタ部）１３を備えた前記筒本体１２は、前記注水口９からの抜き差しを可能とすることにより、注水口９から注水される水に混入した異物は仕切り１４より注水側の注水フィルタ１３ａにより瀘過され、給水口１０に入る給水タンク５内の水に混入したスケール等は仕切り１４より下側の筒形フィルタ（フィルタ部）１３により瀘過され、また鉄粉等の微細なゴミは筒状の磁石１５に付着される。これらのゴミは筒本体１２を注水口９からの抜き出し、清掃することにより、簡単に取り除くことができ、単一のフィルタで注水口９から注水される水と循環する内部の水の双方の瀘過機能を持つ簡素なフィルタ装置および給水タンクおよび給水タンクを用いた温水暖房機が得られる。
【図面の簡単な説明】
【００２３】
【図１】本発明における温水ボイラの概略構成図である。
【図２】本発明における筒形フィルタ（フィルタ部）を有する給水タンクの要部縦断面図である。
【図３】従来例における給水タンクの要部縦断面図である。
【図４】他の従来例における給水タンクの要部縦断面図である。
【符号の説明】
【００２４】
１  温水ボイラ本体
２  ボイラ部
３  熱交換器
４  ボイラ
５  給水タンク（シスターンタンク）
５ａ  口縁
５ｂ  排水口
６  温水ポンプ
７  温水循環路
８  ファンコンベクタ
９  注入口
１０  給水口
１１  戻り口
１２  筒本体
１３  筒形フィルタ（フィルタ部）
１３ａ  注水フィルタ
１４  仕切り
１５  磁石
１６  係合凹部
ａ  往き温水路
ｂ  戻り温水路
Ｓ  水位
ｈ１  排水ホース
ｈ２  ホース
【図１】
2006007050.tif 000003
【図２】
2006007050.tif 000004
【図３】
2006007050.tif 000005
【図４】
2006007050.tif 000006